(57)【要約】  【課題】１以上の所定の機能を実現する機能ユニットを含む装置において、電源異常発生時は、各機能ユニットの中のどの回路に電源異常が発生したかを特定できず、従って、電源異常が復旧しても自動的に復旧させることが困難であった。  【解決手段】所定の機能を実現するための１以上の回路で構成される機能実現部毎にその状態を記憶する状態通知レジスタを設け、この状態レジスタに設定される二種類の値を判別することにより、機能ユニットに発生した電源異常を検出して特定し、電源異常復旧時は特定した部位に対して初期設定を行い復旧させる。【選択図】図３
2008071201.tif 000002
【特許請求の範囲】
【請求項１】
１以上の運用に使用される所定の機能を実現するための機能ユニットを含む装置の電源障害を監視する電源障害監視方法において、
前記機能ユニットは前記機能ユニットの所定の機能を実現するための１以上の運用に使用される機能実現部を備え、
前記機能実現部は電源異常の復旧時は初期状態であるリセット状態に遷移して前記機能実現部に含まれる状態通知レジスタに第１の設定値を設定し、
前記監視制御ユニットは前記機能実現部に含まれる前記状態通知レジスタの値を監視し、前記状態通知レジスタの値が前記第1の設定値のときは前記機能実現部に電源障害が発生したと判定して、前記機能実現部に対して初期設定処理を行った後に前記第1の設定値とは異なる第2の設定値を前記状態通知レジスタに設定して前記機能実現部を運用状態に復旧し、前記状態通知レジスタの値が前記第２の設定値のときは前記機能実現部は運用状態にあると判定する
ことを特徴とする電源障害監視方法。
【請求項２】
請求項１に記載の電源障害監視方法において、
前記機能ユニットに含まれる少なくとも１つの運用に使用される前記機能実現部が電源障害と判定された場合は、前記機能ユニットは電源障害と判定し、
前記機能ユニットに含まれる運用に使用される全ての前記機能実現部が運用状態の場合は、前記機能ユニットは運用状態と判定する、
ことを特徴とする電源障害監視方法。
【請求項３】
請求項２に記載の電源障害監視方法において、
前記監視制御ユニットは前記機能実現部に対する前記装置に含まれる複数の機能ユニットに対する初期設定処理の順番を記憶する初期設定順序情報を保持し、
前記監視制御ユニットは前記初期設定順序情報に基づいて前記機能ユニットをサーチして前記機能ユニットに含まれる状態通知レジスタの値を判定し、運用状態でない最初の機能ユニットを初期設定対象機能ユニットとし、
前記監視制御ユニットは前記初期設定対象機能ユニットに後続する直後の機能ユニットである後続機能ユニットが運用状態の場合は、前記後続機能ユニットに対してリセット制御信号を送出して前記後続機能ユニットをリセット状態にした後に前記初期設定対象機能ユニットに対する初期設定処理を行い、前記後続機能ユニットが運用状態でない場合は前記初期設定対象機能ユニットに対する初期設定処理を行う、
ことを特徴とする電源障害監視方法。
【請求項４】
請求項１に記載の電源障害監視方法において
前記機能ユニットに含まれる複数の前記機能実現部は前記機能ユニット内の所定の順番で先頭に位置する機能実現部から順次後続の機能実現部へ前記機能実現部の初期設定状態を示す初期設定完了信号を伝達し、
前記監視制御ユニットは前記所定の順番の最後に位置する機能実現部から出力された前記初期設定完了信号の内容に基づいて前記機能ユニットの電源異常の発生を監視する
ことを特徴とする電源障害監視方法。
【請求項５】
所定の機能を実現する１以上の機能ユニットを含む装置において、
前記機能ユニットの電源障害を監視する監視制御ユニットと、
前記機能ユニットに含まれる所定の機能を実現するための１以上の機能実現部と、
前記機能実現部に含まれる前記機能実現部の状態を記憶する状態通知レジスタを備え、
前記機能実現部は電源異常の発生時は初期状態であるリセット状態に遷移して前記状態通知レジスタに第１の設定値を設定し、
前記監視制御ユニットは前記機能実現部に含まれる前記状態通知レジスタの値を監視し、前記状態通知レジスタの値が前記第1の設定値のときは、前記機能実現部に電源障害が発生したと判定して、前記機能実現部に対して初期設定処理を行った後に前記第1の設定値とは異なる第2の設定値を前記状態通知レジスタに設定して前記機能実現部を運用状態に復旧し、前記状態通知レジスタの値が前記第２の設定値のときは前記機能実現部は運用状態にあると判定する
ことを特徴とする装置。
【発明の詳細な説明】
【技術分野】
【０００１】
本発明は、１以上の所定の機能を実現する機能ユニットを含む装置において、各機能ユニットに含まれる１以上の機能実現部の電源異常を監視して電源異常復旧時に各機能ユニットを復旧させる電源障害監視方法および装置に関する。
【背景技術】
【０００２】
図１は装置と機能ユニットとの間の関係を説明する概念図である。
例えば、通信ネットワークのノードとなる伝送装置では様々な通信サービス機能を提供するために、各種機能を提供する１以上の機能ユニット９１０−１〜ｎとそれらの機能ユニット９１０を監視制御するための監視制御ユニット９２０より構成される。ここでは、フレキシブルに様々な機能を提供できるように、監視制御ユニット９２０及び機能ユニット９１０は交換が可能な構成となっている。
【０００３】
図２は従来技術による装置内の機能ユニットの構成例である。
装置内の機能ユニット９１０内には、一次側電源監視部９１１、オンボード電源部９１２(一次側電源から二次側電源を作成)、二次側電源監視部９１３（二次側電源電圧を監視し、リセット制御信号を生成）、機能ユニットが実現すべき機能を実現し実行するための機能実現回路９１４(ＩＣなど)を備えている。
【０００４】
伝送装置内の監視制御ユニット９２０内には、一次側電源監視部９２１、オンボード電源部９２２(一次側電源３０から二次側電源３１を作成)、二次側電源監視部９２３（二次側電源電圧を監視し、リセット制御信号４１を生成）、監視制御処理部２４(機能ユニット９１０に対する監視制御機能を実現)を備えている。  監視制御ユニット９２０及び機能ユニット９１０は直接局舎等から一次側電源３０（ＤＣ−４８Ｖ等）の供給を受ける。
【０００５】
局舎等から一次側電源３０が供給されると機能ユニット９１０は一次側電源３０の電圧を監視し、一次側電源３０の電圧が機能ユニット９１０毎に規定した電圧に達するとオンボード電源部９１２により二次側電源３１を生成し、機能実現回路  ９１４、二次側電源監視部９１３へ供給する。二次側電源監視部９１３は二次側電源３１の電圧を監視し、二次側電源３１が異常の場合は二次側電源３１の電圧が正常状態になるまでの間リセット制御信号４１をオンにして機能実現回路  ９１４に出力する。オン状態のリセット制御信号４１０を受け取った機能実現回路９１４は内部回路を初期状態に設定する。電源が正常状態になった後、二次側電源監視部９１３はリセット制御信号４１０をオフ（リセット解除信号）状態にして機能実現回路９１４に出力する。
【０００６】
機能ユニット９１０内の機能実現回路９１４は、二次側電源監視部９１３からのリセット制御信号４１が解除された（リセット解除）後に、監視制御ユニット９２０からの制御信号４３の指示に基づいて初期設定を行い運用状態となる。
【０００７】
装置に複数の機能ユニットが含まれる場合は、装置の運用に必要な全ての機能ユニット９１０に対する初期設定が完了した時点で装置は運用状態となる。
【０００８】
監視制御ユニット９２０は、例えば、局舎等から各機能ユニット９１０および監視制御ユニット９２０に供給される一次側電源３０の瞬断、瞬低、低下等の電源異常状態発生後に正常な運用状態に復旧させるために、一次側電源３０の電圧を監視している。監視制御ユニット９２０は一次側電源３０の電圧が所定の電圧以上に復旧したタイミングで各機能ユニット９１０に対して制御信号４３により初期設定を実施して運用状態に遷移させることにより、機能ユニット９１０の一次側電源３０の一時的な異常状態による機能停止状態から運用状態に復旧させていた。
【０００９】
特許文献１は通信装置の装置立ち上げ時の初期設定に関する技術について開示している。
【特許文献１】特開平０２−１０５６５４号公報
【発明の開示】
【発明が解決しようとする課題】
【００１０】
１以上の機能ユニットで構成される従来の装置には、以下の問題がある。
局舎等にて一時的な電源瞬断／瞬間低下等が発生した場合、下記のような理由で電源断の継続時間、瞬間低下時の電圧値／時間によっては一次側の電源断または二次側の電源断を検出できない場合がある。
１） 電源断の継続時間、瞬間低下の時間が短く、一次側電源電圧監視回路の検出限界のため検出できない。
２）各ユニットが持つ電気的な容量により、瞬断／瞬間低下ではユニットの電圧が十分に低下せず電源断とならない。
３) 各ユニットにおけるユニット内の電気的な容量によっては、瞬断／瞬間低下で機能ユニット９１０内の一部分のみ二次側電源電圧が低下し、二次側の電源電圧の監視回路にて電源断を検出していないにも関わらず、一部のＩＣのみ電源電圧低下により異常状態（リセット状態）になってしまう。
【００１１】
上記１）、２）は監視電圧の閾値で決められるものではく、各ユニット毎にばらつきが発生するので、起動順番が確定できない場合があり、監視制御ユニットにて一次側電源の断を検出していなくても各機能ユニットにて一次側電源断を検出する場合がある。一次側の電源が断となったユニットは、二次側の電源電圧出力も停止するので、二次側電源監視回路が異常状態を検出し、リセット制御信号を各機能実現回路（ＩＣ等）に対して送出し、各回路は初期状態となる。
【００１２】
上記１）、２）の場合において、監視制御ユニット９２０は一次側の電源が断になっておらず、機能ユニット９１０のみ一次側の電源が電源断した場合には、各機能実現回路９１４はリセットされたままの状態であり、監視制御ユニット９２０から指示されない限り該機能ユニット９１０は運用状態となるための初期設定がされない状態となっている。
【００１３】
一方、監視制御ユニット９２０の一次側電源は断になっていないため、監視制御ユニット９２０は各機能ユニット９１０で発生している異常を検出することができず、機能ユニット９１０は運用状態に移行できないままその機能を停止した状態に陥ってしまう。そして、このような機能ユニット９１０の状態が続き該機能ユニット９１０がその機能を停止していると、監視制御ユニット９２０は機能ユニット９１０に何が起きたかが正確に把握できないまま、該機能ユニット９１０は一時的な電源異常であって故障でないにもかかわらず、該機能ユニット９１０を故障であると判断してしまうことがある。
【００１４】
さらに、装置が複数の機能ユニット９１０で運用されている場合に、上記１）、２）が発生し監視制御ユニット９２０の一次側電源も断になった場合には、一次側電源断状態から復旧後、監視制御ユニット９２０は各機能ユニット９１０に対して運用状態にするための初期設定処理を行う。複数の機能ユニット９１０間で基準クロックを供給している場合など、複数の機能ユニット９１０間の初期設定を行う順序が規定される場合は、その規定された順序で各機能ユニット９１０を初期設定する必要がある。しかしながら、例えば、先に初期設定すべき機能ユニット９１０のみ一次側電源が断となってしまった場合、後に設定すべき機能ユニット９１０は初期設定済で運用状態になっている状態で先に初期設定すべき機能ユニット９１０の初期設定を行うことになり、初期設定の順序を守れなくなってしまう。この結果、装置全体としての機能が正常に動作せずに異常状態に陥ってしまうことがある。
【００１５】
また、上記３）の場合において、各機能ユニット９１０の一部の機能実現回路９１４のみ、運用状態となるための初期設定がされない状態となっているが、監視制御ユニット９２０は各機能ユニット９１０において何が発生したのかを判断することできない。この場合も、適切に運用状態になるための初期設定がされないので、一時的な電源異常で故障ではないにもかかわらず故障状態であると判断してしまうことがある。
【００１６】
本発明の目的は、所定の機能を実現する１以上の機能ユニットを含む装置において、各機能ユニットに含まれる１以上の機能実現部の電源異常の発生を常時監視し、電源異常復旧時に各機能ユニットを自動的に復旧させる電源障害監視方法および装置に関する。
【課題を解決するための手段】
【００１７】
本発明の一実施態様においては、１以上の運用に使用される所定の機能を実現するための機能ユニットを含む装置の電源障害を監視する電源障害監視方法において、前記機能ユニットは前記機能ユニットの所定の機能を実現するための１以上の運用に使用される機能実現部を備え、前記機能実現部は電源異常の復旧時は初期状態であるリセット状態に遷移して前記機能実現部に含まれる状態通知レジスタに第１の設定値を設定し、前記監視制御ユニットは前記機能実現部に含まれる前記状態通知レジスタの値を監視し、前記状態通知レジスタの値が前記第1の設定値のときは前記機能実現部に電源障害が発生したと判定して、前記機能実現部に対して初期設定処理を行った後に前記第1の設定値とは異なる第2の設定値を前記状態通知レジスタに設定して前記機能実現部を運用状態に復旧し、前記状態通知レジスタの値が前記第２の設定値のときは前記機能実現部は運用状態にあると判定する、ように構成した。
【００１８】
これによれば、例えば１以上の回路（ＩＣ等）をその実現機能別に機能実現部として構成し、その機能実現部毎に状態を記憶する状態通知レジスタを設けることにより、その状態通知レジスタに設定された２種類の値を判別することにより、その実現機能部を含む機能ユニットに電源障害が発生したか否かを判定し、電源異常が発生した機能実現部を運用状態に復旧させることができる。
【００１９】
また、前記監視制御ユニットは前記機能実現部に対する前記装置に含まれる複数の機能ユニットに対する初期設定処理の順番を記憶する初期設定順序情報を保持し、
前記監視制御ユニットは前記初期設定順序情報に基づいて前記機能ユニットをサーチして前記機能ユニットに含まれる状態通知レジスタの値を判定し、運用状態でない最初の機能ユニットを初期設定対象機能ユニットとし、前記監視制御ユニットは前記初期設定対象機能ユニットに後続する直後の機能ユニットである後続機能ユニットが運用状態の場合は、前記後続機能ユニットに対してリセット制御信号を送出して前記後続機能ユニットをリセット状態にした後に前記初期設定対象機能ユニットに対する初期設定処理を行い、前記後続機能ユニットが運用状態でない場合は前記初期設定対象機能ユニットに対する初期設定処理を行う、ように構成することができる。
【００２０】
これによれば、装置を構成する複数の機能ユニットの立ち上げ順番が規定されている場合であっても、電源障害が発生した場合はそれを検出して、その規定された順番で正しく起動して装置を運用状態に復旧させることができる。
【００２１】
さらに、前記機能ユニットに含まれる複数の前記機能実現部は前記機能ユニット内の所定の順番で先頭に位置する機能実現部から順次後続の機能実現部へ前記機能実現部の初期設定状態を示す初期設定完了信号を伝達し、前記監視制御ユニットは前記所定の順番の最後に位置する機能実現部から出力された前記初期設定完了信号の内容に基づいて前記機能ユニットの電源異常の発生を監視する、ように構成することもできる。
【００２２】
これによれば、機能ユニットが複数の機能実現部を含む場合であっても、個々の機能実現部を個別に監視することなく、一つに初期設定完了信号を監視するのみで、機能ユニット全体の電源障害発生を検出することができる。
【発明の効果】
【００２３】
１以上の機能ユニットとそれらを監視制御する監視制御ユニットから構成される装置において、機能ユニットに含まれる１以上の機能実現部（機能実現部は、例えば１以上のＩＣで構成される）単位にその運用状態を記憶する状態通知レジスタを設け、監視制御ユニットはその状態通知レジスタを常時監視することにより、機能実現部が運用状態にあるか、または、電源異常が発生して復旧後のリセット解除状態にあるかを確実に識別して検出することが可能になり、異常が発生した機能実現部を初期設定して復旧させることができる。
【００２４】
また、装置が複数の機能ユニットを含み複数の機能ユニット間の初期設定の順番が規定されている場合でも正しい順番で初期設定処理を行うことができ、一時的な電源異常発生時でも装置全体を正常に復旧することが可能となる。
【発明を実施するための最良の形態】
【００２５】
（実施例）
図３は本発明の第1の実施形態を示す装置の構成例である。
前記図１で示した装置とユニットとの間の関係と同様に、本発明の装置は１以上の機能ユニット１０とそれらの複数の機能ユニット１０を監視制御する監視制御ユニット２０から構成される。ここでは、図面を簡素化するために、機能ユニット１０は１台のみ表記されているが、複数台の場合も同様である。
【００２６】
装置内に実装される機能ユニット１０は、一次側電源監視部１１、オンボード電源部１２(一次側電源から二次側電源を作成)、二次側電源監視部１３（二次側電源電圧を監視し、リセット制御信号を生成）、機能実現部１４を備えている。
【００２７】
機能実現部１４は、機能実現部１４を運用状態にするために必要な初期値を設定する初期値設定レジスタ１４２と、機能実現部１４の状態を示す設定値を記憶する状態通知レジスタ１４１を含んでいる。
【００２８】
機能ユニット１０は、通常運用時は、局舎等から一次側電源が供給されると機能ユニット１０毎に一次側電源３０の電圧を監視し、一次側電源電圧が機能ユニット１０毎に規定した電圧に達するとオンボード電源部１２により二次側の電源を生成し、二次側電源３１の供給を開始する。二次側電源監視部１３は二次側電源３１の電圧を監視し、電源異常の場合はリセット制御信号５１をオンにして機能実現部１４へ出力する。オン状態のリセット制御信号５１を受け取った機能実現部１４はその内部回路を初期状態に設定し、上記の状態通知レジスタ１４１に第1の設定値を設定する。この状態をリセット状態といい、リセット状態では機能実現部１４の動作がロックされて状態レジスタ１４１、初期設定レジスタ１４２に対する監視制御ユニット２０からの書き込みはできない。そして電源が正常状態に復旧した時は、二次側電源監視部１３はリセット信号５１をオフ（リセット解除信号）にする。機能実現部１４はリセット解除信号を受信するとリセット解除状態に遷移して動作を開始するが、まだその本来の機能を実行できる運用状態にはなっておらず、監視制御ユニット２０からの指示で初期設定レジスタ１４２に初期値が設定されかつ状態通知レジスタ１４１に所定の値が設定された時点で初めて運用状態となる。
【００２９】
機能実現部１４に含まれる状態通知レジスタ１４１は、監視制御ユニット２０から設定可能なレジスタで、監視制御ユニット２０は、リセット解除状態にある機能実現部１４の初期設定レジスタ１４２に初期値の設定が完了した時点で、この状態通知レジスタ１４１に対して、上記リセット状態に遷移した際に設定される第1の設定値とは異なる第2の設定値を書き込む。以降の記述では、この第2の設定値のことを、初期設定完了値とも表記する。リセット状態に遷移した際に設定される第1の設定値は必ずしも１個の値には限定されず、所定の複数の値、または所定の範囲内の任意の値でもよい。ただし、第２の設定値となる初期設定完了値はこの第1の設定値とは異なる値として予め定められる。また、状態通知レジスタ１４１には上記の第1または第2の設定値以外の値は設定されないように構成される。
【００３０】
上記のように二次側電源監視部１３からのリセット制御信号５１がオン状態のときは機能実現部１４はリセット状態、つまり、機能実現部１４の動作がロックされて状態レジスタ１４１、初期設定レジスタ１４２に対する監視制御ユニット２０からの書き込みができない状態になるが、二次側電源監視部１３が二次側電源３１の異常を検出しないような瞬断／瞬間低下により二次側電源監視部１３からのリセット制御信号５１がオフ状態のままでも、一時的にリセット状態に陥る場合もある。その場合にも上記の状態通知レジスタ１４１には上記第1の設定値が設定される。
【００３１】
装置内の監視制御ユニット２０は、一次側電源監視部２１、オンボード電源部２２(一次側電源から二次側電源を作成)、二次側電源監視部２３（二次側電源電圧を監視し、リセット制御信号を生成）、監視制御処理部２４を備えている。
【００３２】
監視制御ユニット２０は、通常運用時は、局舎等から一次側電源３０が供給されると一次側電源３０の電圧を監視し、一次側電源３０の電圧が監視制御ユニット２０で規定した電圧に達するとオンボード電源部２２により二次側の電源を生成し、二次側電源３２の供給を開始する。監視制御ユニット２０は二次側電源３２の電圧を監視し、二次側電源３２が異常の場合はリセット制御信号５２をオンにして監視制御処理部２４へ送出する。リセット制御信号５２を受け取った監視制御処理部２４は内部（回路）を初期状態に設定する。二次側電源３２が正常状態に復旧した時は、二次側電源監視部２３はリセット制御信号５２をオフにして（リセット解除信号）監視制御処理部２４へ送出する。監視制御処理部２４はリセット解除信号を受信すると、その監視制御処理を開始する。
【００３３】
上記の機能ユニット１０において、機能実現部１４は、例えば１以上のＩＣで構成することができ、初期値設定レジスタ１４２及び状態通知レジスタ１４１はＩＣの個数に応じて１以上具備することが可能である。例えば、複数のICに対して１個の状態通知レジスタ１４１を設けその複数のICの状態を集約して該状態通知レジスタ１４１に示すように構成してもよく、また、IC毎に状態通知レジスタ１４１を設けてもよい。後者の場合は、該機能実現部１４に含まれる全ての状態通知レジスタ１４１が初期設定完了値のときに、該機能実現部１４を運用状態と見なし、該機能実現部１４に含まれる少なくとも１個の状態通知レジスタ１４１に初期設定完値が設定されていないときは、該機能実現部１４は運用状態にないと見なす。
【００３４】
また、機能ユニット１０が複数の機能を実現するために機能実現部１４を複数含む場合もあるが、その構成については図８にて後述する。
【００３５】
図４は、本発明のリセット制御信号を説明する模式図で、リセット制御信号５１、機能実現部の状態、状態通知レジスタの値の間の時間関係の概要を示している。
二次側電源監視部１３が電源異常を検出すると、リセット制御信号５１をオフ状態からオン状態にして機能実現部１４に出力する。リセット制御信号５１がオフ状態からオン状態に変化すると機能実現部１４はリセット状態７１に移行する。このとき、状態通知レジスタ１４１には第1の設定値７５が設定される、また、リセット状態７１では、監視制御ユニット２０からの初期値設定レジスタ１４２、状態通知レジスタ１４１への書き込み指示は受け付けられない。このリセット状態７１は、電源異常が復旧してリセット制御信号５１がオン状態からオフ状態に変化した時点で解除され、リセット解除状態７２に移行する。リセット解除状態７２では監視制御ユニット２０からの初期値設定レジスタ１４２、状態通知レジスタ１４１に対する書き込みのための監視制御信号５３−２が受付られ、機能実現部１４は運用状態７３に移行する。このとき、状態通知レジスタ１４１には監視制御ユニット２０からの監視制御信号５３−２により上記第1の設定値７５とは異なる第2の設定値７６が設定される。
【００３６】
図５は、本発明の第１の実施形態における監視制御処理の動作フローチャート例で、監視制御ユニット２０の監視制御処理部２４により実行される。
【００３７】
Ｓ０１．  監視制御処理部２４は、機能ユニット１０の状態をモニタするために、監視制御信号５３を介して機能ユニット１０にアクセスし、機能実現部１４に含まれる状態通知レジスタ１４１の内容を読み出す。
【００３８】
Ｓ０２．  上記ステップＳ０１で読み出した状態通知レジスタ１４１の内容が、第2の設定値である所定の初期設定完了値か否か判定し、初期設定完了値であれば（ＹＥＳ）機能ユニット１０は既に運用状態にあり復旧処置は必要ないので、ステップＳ０１に戻って機能ユニット１０の電源異常発生の監視を継続する。状態通知レジスタ１４１の内容が所定の初期設定完了値でない場合は（ＮＯ）次のステップＳ０３へ移行する。
【００３９】
Ｓ０３．  状態通知レジスタ１４１に設定される設定値は、機能実現部１４がリセット状態に遷移したときに設定される第1の設定値と、監視制御ユニット２０から初期設定処理が完了した時に設定される第2の設定値（初期設定完了値）の二通りのみであり、状態通知レジスタ１４１の内容が初期設定完了値でないということは、第1の設定値が設定されていると見なすことができる。つまり、機能実現部１４は電源異常状態が発生したためにリセット状態またはリセット解除状態にあると判定できる。
【００４０】
従って、ここでは機能実現部１４を運用状態に復旧させるために、監視制御ユニット２０の監視制御処理部２４は機能実現部１４内の初期値設定レジスタ１４２に対して運用状態とするために必要な初期値を監視制御信号５３を介して設定する。
【００４１】
Ｓ０４．  監視制御処理部２４は、機能実現部１４に対する上記ステップＳ０３の初期設定処理が完了し、機能実現部１４が運用状態に移行していることを示すために第1の設定値とは異なる第2の設定値、つまり、初期設定完了値を状態通知レジスタ１４１に設定する。その後、ステップＳ０１に戻って機能ユニット１０の電源異常発生の監視を継続する。
【００４２】
上記ステップＳ０３、Ｓ０４での初期値設定レジスタ１４２、状態通知レジスタ１４１に対する監視制御ユニット２０からの設定処理は、機能実現部１４がまだリセット状態にあるときは正常に完了できないが、リセット状態解除するまで所定の時間待ち合わせて再試行する、などの既知の方法により正常に完了させることができる。
【００４３】
上記のようにして、監視制御ユニット２０は、機能ユニット１０内の機能実現部１４に設けられている状態通知レジスタ１４１を常時監視することにより、局舎等にて一次側電源電圧の一時的な電源瞬断／瞬間低下等が発生し、機能ユニット１０において、二次側電源監視部１３が電源異常を検出した場合でも、一次側電源電圧が装置の規定の電圧に復旧時点でタイムリーにそれを検出し、機能ユニット１０を運用状態へ復旧させることができる。
【００４４】
また、機能ユニット１０が複数台あり、それらの機能ユニットの間に初期設定処理の順番が規定されていない場合は、上記の処理を各機能ユニットに対して行えばよい。
【００４５】
図６は、本発明の第2の実施形態を示す装置の構成例（１）である。
第2の実施形態では、機能ユニット１0aから監視制御ユニット２０aへリセット制御信号５１aを出力することにより、監視制御ユニット２０aはよりきめ細かく機能ユニット10aの状態を監視して効率よく機能ユニット１０aの復旧処理を行うことができる。
【００４６】
装置内の機能ユニット１０ａ内には、前記第1の実施形態と同様に、一次側電源監視部１１、オンボード電源部１２(一次側電源から二次側電源を作成)、二次側電源監視部１３ａ（二次側電源電圧を監視し、リセット制御信号５１aを生成）、機能実現部１４を備えている。前記第1の実施形態との相違点は、二次側電源監視部１３ａはリセット制御信号５１ａを監視制御ユニット２０ａ内の監視制御処理部２４ａにも並行して出力している点である。  
【００４７】
通常運用時は、前記第1の実施形態と同様で、局舎等から一次側電源３０が供給されると機能ユニット毎に一次側電源３０の電圧を監視し、一次側電源電圧が機能ユニット毎に規定した電圧に達するとオンボード電源１２は二次側電源３１を生成し、機能実現部１４への供給を開始する。二次側電源監視部１３ａは二次側電源３２の電圧を監視し、電源異常状態を検出したときは、リセット制御信号５１ａをオンにして機能実現部１４および監視制御ユニット２０ａに送出する。リセット制御信号５１aを受け取った機能実現部１４は内部（回路）を初期状態に設定しリセット状態となる。このとき、第1の設定値が状態通知レジスタ１４１に設定される。
【００４８】
電源が正常に復旧した際は、電源監視部１３ａはリセット制御信号５１をオフにして（リセット解除信号）機能実現部１４および監視制御ユニット２０aに送出する。機能実現部１４はリセット解除信号を受信するとリセット解除状態に遷移して、監視制御ユニット２０aからの初期設定を待つ。監視制御ユニット２０aにより初期値設定レジスタ１４２は初期値が設定され、状態通知レジスタ１４１に上記の第1の設定値とは異なる第2の設定値である初期設定完了値が設定されることにより、機能実現部１４は運用状態に移行する。
【００４９】
装置内の監視制御ユニット２０ａには、前記第1の実施形態と同様に、一次側電源監視部２１、オンボード電源部２２(一次側電源から二次側電源を作成)、二次側電源監視部２３（二次側電源電圧を監視し、リセット制御信号を生成）を備えている。  前記第1の実施形態との相違点は、監視制御処理部２４ａは機能ユニット１０ａの二次側電源監視部１３ａからのリセット制御信号５１ａを直接入力して監視する点である。監視制御処理部２４ａは、機能ユニット１０ａから入力されるリセット制御信号５１ａを監視することにより、リセット状態にあって動作できる状態にない機能実現部１４の初期値設定レジスタ１４２に対して初期値を設定する処理を行うことを回避することができ、機能ユニット１０ａに対する監視制御処理をより効率的に行うことができる。図６では機能ユニット１０ａは１台のみ表記しているが、複数台の場合も同様である。
【００５０】
図７は、本発明の第2の実施形態の監視制御処理の動作フローチャート例（１）で、監視制御ユニット２０aの監視制御処理部２４aにより実行される。
【００５１】
Ｓ０１．  まず、機能ユニット１０ａの状態をモニタするために、監視制御信号５３を介して機能ユニット１０にアクセスし、機能実現部１４に含まれる状態通知レジスタ１４１の内容を読み出す。
【００５２】
Ｓ０２．  上記ステップＳ０１で読み出した状態通知レジスタ１４１の内容が、第2の設定値である所定の初期設定完了値か否か判定し、初期設定完了値であれば（ＹＥＳ）機能ユニット１０ａは既に運用状態にあり復旧処置は必要ないのでステップＳ０１に戻って機能ユニット１０ａの電源異常発生の監視を継続する。状態通知レジスタ１４１の内容が所定の初期設定完了値でない場合は（ＮＯ）電源異常が発生したことを示しており、復旧処置が必要のため次のステップＳ０３へ移行する。ここで、状態通知レジスタ１４１に設定される設定値は、機能実現部１４がリセット状態に遷移したときに設定される第1の設定値と、監視制御ユニット２００から初期設定処理が完了した時に設定される第2の設定値（初期設定完了値）の二通りのみであり、状態通知レジスタ１４１の内容が初期設定完了値でないということは、第1の設定値が設定されていると見なすことができる。つまり、機能実現部１４は電源異常状態が発生したためにリセット状態またはリセット解除状態にあると判定できる。
【００５３】
Ｓ０３．  監視制御処理部２４ａは、機能ユニット１０ａの二次側電源監視部１３ａから出力されるリセット制御信号５１ａをチェックして、リセット制御信号５１ａがオン、つまり、リセット状態か否かを判定する。そして、リセット制御信号５１ａがオン、つまり、リセット状態のときは（ＹＥＳ）、ステップＳ０３に戻ってリセット状態が解除されるのを待ち合わせ、リセット制御信号５１ａがオフ、つまりリセット解除状態の時は（ＮＯ）、初期設定を行うために次のステップＳ０４へ移行する。これは、電源異常状態の継続時間は不定でリセット状態の継続時間も不定であり、また、リセット状態時には機能実現部１４は設定レジスタ１４２に対する設定が受け付けられない状態（機能実現部１４が監視制御ユニット２０ａからの初期設定の指示を受けつけない）となるため、監視制御処理部２４ａからの初期設定処理の指示が確実に機能実現部１４で受け付けるようにするためである。
【００５４】
Ｓ０４．  機能実現部１４を復旧して運用状態にするために、監視制御ユニット２０の監視制御処理部２４ａは機能実現部１４内の初期値設定レジスタ１４２に対して運用状態とするために必要な初期値を設定する。この時点では、機能実現部１４はリセット解除状態にあるため、監視制御ユニット２０ａからの監視制御信号５３を介して行われる初期値設定レジスタ１４２に対する初期値の設定は確実に完了することができる。
【００５５】
Ｓ０５．  監視制御処理部２４ａは、機能実現部１４に対する上記ステップＳ０４の初期設定処理が完了したので、状態通知レジスタ１４１に第1の設定値とは異なる第2の設定値、つまり、初期設定完了値を設定して、機能実現部１４を運用状態に移行させる。その後、ステップＳ０１に戻って機能ユニット１０aの電源異常発生の監視を継続する。
【００５６】
上記のようにして、監視制御ユニット２０ａは、各機能ユニット１０ａ内の機能実現部１４毎に設けられている状態通知レジスタ１４１を常時監視すると同時に、機能ユニット１０ａから出力されるリセット制御信号５１ａも監視することにより、局舎等にて一次側電源電圧の一時的な電源瞬断／瞬間低下等が発生し、機能ユニット１０ａにおいて、二次側電源監視部１３ａが電源異常を検出した場合でも、一次側電源電圧が伝送装置の規定の電圧に復旧時点でタイムリーにそれを検出した後、機能実現部１４が完全に監視制御ユニット２０ａからに初期設定処理を受け付けられる状態になるのを待ち合わせて、機能実現部１４への初期設定処理が確実に行える形で機能ユニット１０ａを運用状態へ復旧させることができる。
【００５７】
また、機能ユニット１０ａが複数台あり、それらの機能ユニットの間に初期設定処理の順番が規定されていない場合は、上記の処理を各機能ユニット１０ａに対して行えばよい。
【００５８】
図８は、本発明の第2の実施形態を示す装置の構成例（２）で、機能ユニットに複数の機能実現部が含まれている場合の構成例を示している。
装置内の機能ユニット１０a内には、第2の実施形態と同様に、一次側電源監視部１１、オンボード電源部１２（一次側電源から二次側電源を作成)、二次側電源監視部１３b（二次側電源電圧を監視し、リセット制御信号を生成）、機能実現部１４(機能ユニットの機能を実現する回路) を備えている。ただし、第2の実施形態とは異なり、機能実現部１４は複数個含まれており、図８では２個の機能実現部１４−１、１４−２が含まれている場合の構成例を示している。従って、二次電源監視部１３bから出力されるリセット制御信号５１bも機能実現部１４−１、１４−２、および、監視機能ユニット１０bに出力されている。また、機能実現部１４−１及び機能実現部１４−２にはそれぞれ、各機能実現部の初期設定を行うための初期設定レジスタ１４２と初期設定レジスタへの初期値の設定が完了したことを示す状態通知レジスタ１４１を備えている。このように、複数の機能実現部にそれぞれ状態通知レジスタ１４１をもつことにより、各機能ユニットの容量によっては、電源の瞬断、電源電圧の瞬間低下で機能ユニット内の一部の機能実現部のみ二次側電源電圧が低下し二次側電源監視部１３bにて電源断を検出していないにも関わらず特定の機能実現部のみ電源電圧低下によりリセット状態になってしまう場合があるが、その場合でもその特定のリセット状態となった機能実現部を監視制御ユニット２０ｂが検出できるようになる。
【００５９】
通常運用時は、局舎等から一次側電源が供給されると機能ユニット１０ｂ毎に一次側電源３０の電圧を監視し、一次側電源３０の電圧が機能ユニット１０ｂ毎に規定した電圧に達するとオンボード電源１２により二次側電源３１を生成し、二次側電源の供給を開始する。機能ユニット１０ｂは二次側電源３１の電圧を監視し、二次側電源３２の異常状態を検出した場合はリセット制御信号５１ｂをオンにして機能実現部１４−１、１４−２、および、監視制御ユニット２０ｂに送出する。オン状態のリセット制御信号５１ｂを受け取った機能実現部１４−１、１４−２は各々内部（回路）を初期状態に設定して、状態通知レジスタ１４１に第1の設定値を設定する（リセット状態）。
【００６０】
電源が正常状態に復旧すると、二次側電源監視部１３ｂはリセット制御信号５１ｂをオフにして（リセット解除信号）、機能実現部１４−１、１４−２、および、監視制御ユニット２０ｂに送出する。オフ状態のリセット制御信号５１ｂを受け取った機能実現部１４−１、１４−２はリセット解除状態に遷移し、監視制御ユニット２０ｂからの初期設定処理を受け付けられる状態になる（リセット解除状態）。
【００６１】
装置内の監視制御ユニット２０ｂは、第2の実施形態と同様で、一次側電源監視部２１、オンボード電源部２２(一次側電源から二次側電源を作成)、二次側電源監視部２３（二次側電源電圧を監視し、リセット制御信号を生成）、監視制御処理部２４ｂを備えている。ただし、この構成では、１個の機能ユニット１０ｂ内にある複数の機能実現部（図８の例では、１４−１、１４−２）に対して初期設定レジスタ１４２、状態通知レジスタ１４１の設定処理を行う必要がある。
【００６２】
上記図８には１台の機能ユニットのみ表記されているが、複数台の場合も同様である。
【００６３】
図９は、本発明の第2の実施形態の監視制御処理の動作フローチャート例（２）で、機能ユニットに複数の機能実現部が含まれている場合の処理フローを示しており、監視制御ユニット２０ｂの監視制御処理部２４ｂにより実行される。
【００６４】
Ｓ０１．  監視制御処理部２４ｂは、機能ユニット１０ｂ内の運用に必要な全ての機能実現部１４を所定の順序でサーチし、該機能実現部の状態通知レジスタ１４１の内容を読み出してチェックする。
【００６５】
Ｓ０２．  上記ステップＳ０１で読み出された状態通知レジスタ１４１に、初期設定完了値（第2の設定値）が設定されているか否かを判定、つまり、運用状態か否かを判定し、運用状態の場合は（ＹＥＳ）なにもせずにステップＳ０１に戻って次の機能実現部をサーチする。
【００６６】
読み出された状態通知レジスタ１４１に、初期設定完了値（第2の設定値）が設定されていない場合、つまり、運用状態にない場合は（NO）、該機能実現部１４に電源異常が発生したと判断し、復旧処理を行うために次のステップＳ０３へ移行する。
【００６７】
Ｓ０３．  該機能ユニット１０ｂの二次電源監視部１３ｂから出力されるリセット制御信号５１ｂを監視し、リセット制御信号５１ｂがオン状態、つまりリセット状態の場合は（ＹＥＳ）ステップＳ０３に戻ってリセット制御信号５１ｂがオフ（リセット解除状態）になるのを待ち合わせる。これは、リセット制御信号５１ｂがリセット状態の時は、同じリセット制御信号５１ｂを受信している機能実現部１４はリセット状態にあることを示し、その初期値設定レジスタ１４２に対しては監視制御ユニット２０ｂからの初期値を設定することができない（機能実現部１４が設定を受けつけない）であるため、リセット状態が解除されるのを待ち合わせるものである。
【００６８】
リセット制御信号５１ｂがオフ状態、つまりリセット解除状態の場合は（ＮＯ）初期設定処理を行うために次のステップＳ０４へ移行する。
【００６９】
Ｓ０４．  監視制御ユニット２０ｂは、該機能実現部１４ｂに対して初期値を初期値設定レジスタ１４２に設定する。この時点では該機能実現部は１４ｂはリセット解除状態にあるため、該機能実現部１４の初期値設定レジスタ１４２に対する初期値の設定は確実に完了させることができる。
【００７０】
Ｓ０５．  該機能実現部１４の状態通知レジスタ１４１に第1の設定値と異なる第2の設定値となる初期設定完了値を設定して該機能実現部１４を運用状態にし、ステップＳ０１へ戻って次の機能実現部をサーチし、電源障害の監視を続ける。
【００７１】
上記の動作フローにより、機能ユニット１０ｂ内に複数の機能実現部１４がある場合でも、電源異常となった機能実現部１４ｃを全て運用状態に復旧することができ、機能ユニット１０ｂは通常の運用状態となる。つまり、機能ユニット１０ｂが複数の機能実現部１４を含んでいる場合でも、局舎等にて一次側電源電圧の一時的な電源瞬断／瞬間低下等が発生し機能ユニットにて電源断が発生した場合は、監視制御ユニット２０ｂは機能ユニット１０ｂにおいて発生した電源状態の異常を常に検出することが可能となる。また、局舎等の電源が復旧後には、機能ユニット１０ｂ内の一部の機能実現部１４のみがリセット状態となっても、常に機能実現部１４の状態を監視しているので、通常の運用状態へ復旧することが可能となる。
【００７２】
また、機能ユニット１０ｂが複数台あり、それらの機能ユニットの間に初期設定処理の順番が規定されていない場合は、上記の処理を各機能ユニット１０ｂに対して行えばよい。
【００７３】
図１０は、本発明の第3の実施形態の構成例で、複数の機能ユニットを含む装置において、各機能ユニット間でその初期設定の順番が予め規定されている場合の装置の構成例を示している。ここでは、２つの機能ユニット１０ｃ−１、１０ｃ−２をその順序に初期設定する場合の例を示している。
【００７４】
装置内の機能ユニット1０ｃ−１には、前記第2の実施形態と同様で、一次側電源監視部１１、オンボード電源部１２(一次側電源から二次側電源を作成)、二次側電源監視部１３ｃ（二次側電源電圧を監視し、リセット制御信号を生成）、機能実現部１４ｃを備えている。また、リセット制御信号５１ｃは機能実現部１４ｃおよび監視制御ユニット２０ｃに接続されている。機能実現部１４ｃは状態通知レジスタ１４１、および、初期値設定レジスタ１４２を備えている。
【００７５】
装置内の機能ユニット１０ｃ−２も同様で、:一次側電源監視部１１、オンボード電源部１２(一次側電源から二次側電源を作成)、二次側電源監視部１３ｃ（二次側電源電圧を監視し、リセット制御信号を生成）、機能実現部１４ｃを備えている。また、リセット制御信号５１ｃは機能実現部１４ｃおよび監視制御ユニット２０ｃに接続されている。
【００７６】
前記第2の実施形態と異なるのは、機能ユニット１０ｃ−１から機能ユニット１０ｃ−２に対して基準信号５４（CLK等）を出力している点と、監視制御ユニット２０ｃから機能ユニット１０ｃ−２へリセット制御信号５５が接続されている点である。
【００７７】
機能ユニット１０ｃ−２の機能実現部１４ｃに入力されている基準信号５４は機能実現部１４ｃのリセット状態が解除されたときには十分に安定している必要がある。この基準信号５４は機能ユニット１０ｃ−２の機能実現部１４ｃが動作するために参照する信号であり、この基準信号が不安定であると機能実現部１４ｃの動作も不安定になってしまい、異常状態に陥って正常に動作しなくなる場合がある。そのために、機能ユニット間において初期設定処理の順番を設け、機能ユニット１０ｃ−１が起動して運用状態になり基準信号５４が安定した後に機能ユニット１０ｃ−２を起動して運用状態にするように初期設定シーケンスを設ける必要がある。
【００７８】
基準信号５４は１例であるが、上記の第3の実施形態は、複数の機能ユニットの間に初期設定処理を行う順序が予め規定される場合の構成に適用される。
【００７９】
装置内の監視制御ユニット２０ｃ内については、前記第2の実施形態と同様に、一次側電源監視部２１、オンボード電源部２２(一次側電源から二次側電源を作成)、二次側電源監視部２３（二次側電源電圧を監視し、リセット制御信号を生成）、監視制御処理部２４ｃを備えている。しかし、前記第2の実施形態とは異なり、監視制御部２４ｃには複数の機能ユニットからのリセット制御信号５１ｃが入力され、監視制御処理部２４ｃは複数の機能ユニットに対して予め定めた順序で初期設定処理を行うことが必要となる。そのため、監視制御処理部２０ｃは、初期設定の順番を記憶する初期設定順序記憶部２４１を保持し、予めこの初期設定順序記憶部２４１に設定されている順番を基に各機能ユニットの順序制御を行いながら初期設定を行う。この順序制御を行うために、リセット制御信号５５により機能ユニット１０ｃ−２に対してリセット制御を行うことができる構成になっている。ただし、順序制御を行う際に、後述する監視制御処理の動作フローの説明で示されるように、最初の順位にある機能ユニットに対してはリセット制御を行う必要性はないため、図１０では最初の順位にある機能ユニット１０ｃ−１に対しては監視制御ユニット２０ｃからのリセット制御信号５５は接続されていない。
【００８０】
上記図１０では、機能ユニットが２台の場合を代表例として示しているが、これには限定されず任意の台数の機能ユニットで装置を構成することができる。その際は、上記の機能ユニット１０ｃ−２と同様の構成の機能ユニット１０ｃ−３、・・・、ｎが機能ユニット１０ｃ−２と監視制御ユニット２０ｃの間に順次接続される構成となる。そして、基準信号５４についても機能ユニット１０ｃ−２から次の機能ユニット１０ｃ−３、・・・、ｎへ順次供給される構成となる。この場合、機能ユニット１０ｃ−１、２、・・・、ｎはその順序で初期設定がされ運用状態に遷移することになる。
【００８１】
図１１は、機能ユニットの状態と初期設定の順序との関係の1例で、３台の機能ユニットの場合を例示している。
３台の機能ユニットをＵＮＩＴ−１、２、３と簡略表記したとき、機能ユニットの状態８１０に示した３台の機能ユニットＵＮＩＴ−１、２、３の状態の組み合わせ８０１−８０８に対応付けて、その初期設定の順番を８２０の欄に示している。
【００８２】
この表８００を見ると、予め定められた初期設定の順番（ＵＮＩＴ−１、２、３の順番）に沿って機能ユニットの状態をサーチした際に、最初に見つかったリセット状態の機能ユニット以降の機能ユニットをその初期設定の順番で初期設定する必要があることを示している。例えば、状態の組み合わせ８０７のエントリでは、最初に見つかったリセット状態の機能ユニットＵＮＩＴ−１に後続する機能ユニットについては、予め定められた初期設定の順番（ＵＮＩＴ−１、２、３の順番）の順、つまり、ＵＮＩＴ−２、ＵＮＩＴ−３の順に設定することを示している。
【００８３】
ここで、注意すべき点は、例えば、状態の組み合わせ８０５の場合は、ＵＮＩＴ−１、２、３の順に初期設定を行うことになるが、ＵＮＩＴ−１の初期設定を行う前に既に運用状態にあるＵＮＩＴ−２をリセットしておく必要がある点である。これは、例えば、ＵＮＩＴ−２はＵＮＩＴ−１から基準信号を供給されている場合などには、ＵＮＩＴ−２を運用状態のままＵＮＩＴ−１に対して初期設定を行ってしまうと、ＵＮＩＴ−１から不安定な基準信号が運用状態にあるＵＮＩＴ−２に対して供給されてしまいＵＮＩＴ―２が異常状態に陥る可能性があるためである。
【００８４】
図１２は、本発明の第3の実施形態の監視制御処理の動作フローチャート例で、順序関係が規定された複数の機能ユニットに対する監視制御処理の手順を示しており、監視制御ユニット２０ｃの監視制御処理部２４ｃにより実行される。
【００８５】
Ｓ０１．  監視制御処理部２４ｃは、初期設定順序記憶部２４１に設定されている所定の順番に従って、各機能ユニット１０ｂの状態通知レジスタ１４１をサーチして内容を読み出し、初期設定処理が完了していることを示す第2の設定値である初期設定完了値が格納されているか否かをチェックする。ここで、所定の順序としては、例えば各ユニットで使用する基準信号５４を各ユニット間でシリーズに供給している場合などには、供給される基準信号が安定した後にユニットを運用状態とする必要があり、その場合は予め定まる基準信号が供給される順を所定の順番として初期設定順序記憶部２４１に予め設定しておく。
【００８６】
Ｓ０２．  上記ステップＳ０１の所定の順番による状態通知レジスタ１４１のサーチで初期設定完了値が設定されていない機能ユニット１０ｃ（初期設定未の機能ユニット）があるか否かを判定し、初期設定未の機能ユニット１０ｃがない場合（ＮＯ）、つまり、全ての機能ユニット１０ｃの初期設定処理が完了して運用状態にある場合には、ステップＳ０１に戻って初期設定が未の機能ユニット１０ｃの発生の監視を継続する。初期設定が未の機能ユニット１０ｃが見つかった場合（ＹＥＳ）は、見つかった初期設定未の機能ユニット１０ｃを初期設定対象機能ユニットとして次のステップＳ０３へ移行する。
【００８７】
Ｓ０３．  上記ステップＳ０２で見つかった初期設定対象機能ユニットに所定の順番で後続する次の機能ユニット１０ｃの状態通知レジスタ１４１を読み出して、その後続機能ユニット１０ｃの初期設定が完了しているか否かを判定する。後続機能ユニット１０ｃが初期設定未の場合（ＹＥＳ）は、上記初期設定対象機能ユニット１０ｃの初期設定を行うためにステップＳ０５へ移行する。後続機能ユニット１０ｃが初期設定済みで運用状態の場合（ＮＯ）は次のステップＳ０４へ移行する。
【００８８】
Ｓ０４．  後続機能ユニット１０ｃをリセット制御信号５５を介してリセット状態にする。これは、上記のステップＳ０２で見つかった初期設定対象機能ユニット１０ｃの初期設定を行うためには、該初期設定対象ユニット１０ｃに後続し既に運用状態にある機能ユニット１０ｃについては所定の順番に従って再度初期設定を行う必要があるためである。
【００８９】
Ｓ０５．  上記ステップＳ０４により後続機能ユニット１０ｃがリセット状態になった後に、初期設定対象ユニット１０ｃに対する初期設定を行う。その後ステップＳ０１に戻って、初期設定が未の機能ユニット１０ｃの発生を継続して監視する。本処理ステップの詳細については、次の図１３にて後述する。
【００９０】
上記の処理ステップのようにして各機能ユニット１０ｃの監視制御を行うことにより、予め定められた機能ユニット間の立ち上げ順の依存関係に従って各機能ユニット１０ｃの初期設定を行うことができ、複数の機能ユニット１０ｃで構成される装置においても電源の異常状態から通常の運用状態へ正しく復旧させることができる。
【００９１】
また、上記の動作フローのステップS02において、機能ユニット複数の機能実現部を含む場合の該機能ユニットの初期設定済みか否かの判定は、含まれる運用中の全ての機能実現部が初期設定済みの場合に、該機能ユニットの初期設定済みと判定し、それ以外の場合は該機能ユニットは初期設定は未と判定する。
【００９２】
図１３は、本発明の第３の実施形態の監視制御処理の動作フローチャート例（２）で、前記図１２のステップＳ０５の詳細を示している。
【００９３】
Ｓ０５１．  初期設定対象機能ユニット１０ｃはリセット状態か否かを判定し、リセット状態ならば（ＹＥＳ）ステップＳ０５１に戻って、リセット状態が解除されるのを待ち合わせる。リセット状態でなければ（ＮＯ）初期設定対象機能ユニット１０ｃはリセット状態が解除されているので、初期設定を行うために次のステップＳ０５２へ移行する。
【００９４】
Ｓ０５２．  初期設定対象機能ユニット１０ｃの機能実現部１４ｃに対し初期設定処理を行う。つまり、初期設定対象機能ユニット１０ｃの機能実現部１４ｃの初期値設定レジスタ１４２に運用状態にするために必要な初期値を設定する。
【００９５】
Ｓ０５３．  初期設定対象機能ユニット１０ｃの機能実現部１４ｃの状態通知レジスタ１４１に第2の設定値となる初期設定完了値を設定して該機能実現部１４ｃを運用状態にして、処理を終了する。
【００９６】
上記の図１２、１３に示した監視制御処理の動作フローから分かるように、機能ユニット１０ｃに対するリセット制御は、所定の順番の機能ユニット列の中で最初に見つかった初期設定未の機能ユニットに後続する機能ユニットに対して行うものであり、所定の順番の先頭の機能ユニット１０ｃに対してはリセット制御を行う必要はなく、先頭の機能ユニット１０ｃはリセット制御信号５５を受け付ける機能は備えていなくてもよい。
【００９７】
本発明の第3の実施形態によれば、装置が複数の機能ユニット１０ｃで構成され各機能ユニット１０ｃに対する初期設定の順序が規定されている場合に、局舎等にて一次側電源電圧の一時的な電源瞬断／瞬間低下等が発生し機能ユニットにて電源断が発生しても、監視制御ユニット２０ｃは機能ユニット１０ｃにおいて発生した電源状態の異常を常に検出することが可能となる。また、局舎等の電源が復旧後には、所定の順序で各機能ユニット１０ｃが初期設定されて運用状態に正常に移行し、装置全体を通常の運用状態へ復旧することが可能となる。
【００９８】
図１４は本発明の第４の実施形態の構成例で、機能ユニットが１以上の運用に使用する機能実現部を含んでいる場合において、各機能実現部が初期設定処理が完了しているか否か判定する機能を有し、その結果を初期設定完了信号として出力する機能を備えた場合の構成例を示す図である。
【００９９】
装置内の機能ユニット１０ｄ内には、一次側電源監視部１１、オンボード電源部１２(一次側電源から二次側電源を作成)、二次側電源監視部１３ｄ（二次側電源電圧を監視し、リセット制御信号を生成）、機能実現部１４ｄ−１、１４ｄ−２、機能実現部の状態（リセット状態であるか初期設定済状態であるか）を複数の機能実現部の間で受け渡す機能実現部の初期設定完了信号５６を備えている。図１４では、複数の機能実現部１４ｄとして二つの機能実現部１４ｄ−１、１４ｄ−２の場合を代表例として示しているが、任意の数ｎの機能実現部１４ｄを含むことができる。その場合は機能実現部は所定の順序１４ｄ−１、１４ｄ−２、・・・、１４ｄ−ｎで初期設定完了信号５６によりで接続される。ここで、所定の順序の先頭の機能実現部１４ｄ−１には入力される初期設定完了信号５６はなく、２番目以降の機能実現部１４ｄ−２、・・・、１４ｄ−ｎでは先行する機能実現部１４ｄから入力される初期設定完了信号５６と、後続する機能実現部１４ｄに出力する初期設定完了信号５６が存在する。そして最後尾に機能実現部１４ｄ−ｎが出力する初期設定完了信号５６は監視制御ユニット２０ｄに入力される。
【０１００】
前記第２の実施形態とは異なり、機能実現部１４ｄにはさらに、初期設定判定部１４３が含まれている。ここでは、機能実現部１４ｄを初期設定するための監視制御ユニット２０ｄから設定される初期値設定レジスタ１４２については、図を簡素化するために表記していない。また、二次側電源監視部１３ｄから監視制御ユニット２０ｄへはリセット制御信号５１ｄは出力されない。
【０１０１】
初期設定判定部１４３は、以下の１）、２）、３）の状態を基に機能実現部１４ｄに対する初期設定処理が完了したかどうかを判定する。
１）リセット制御信号５１ｄの入力状態。
２）機能実現部１４ｄに入力された所定の順で先行する機能実現部１４ｄからの初期設定完了信号５６の状態。
３） 監視制御ユニット２０ｄから設定される状態通知レジスタ１４１の値。
【０１０２】
上記の初期設定完了信号５６には、機能実現部１４ｄがリセット状態となったときに設定される第1の値と、前記第1の値とは異なる第2の値の二種類の値が設定される。
【０１０３】
初期設定判定部１４３は、上記１）、２）、３）の状態を監視し、該機能実現部１４ｄに入力される所定の順番で先行する機能実現部１４ｄからの初期設定完了信号５６が初期設定済を示す所定の第2の値であり、かつ監視制御ユニット２０ｄから該機能実現部１４ｄの状態通知レジスタ１４１に対して初期設定完了値が設定済みで、さらにリセット制御信号５１ｄがオフ（リセット解除状態）であるならば、先行する機能実現部１４ｄの初期設定が完了したと判定し、該機能実現部１４ｄは初期設定済であることを示す第2の値を設定した初期設定完了信号５６を後続の機能実現部１４ｄへ出力する。ここで、上記の第1の値は必ずしも一つの特定値である必要はなく、複数の値、あるいは、ある所定の範囲の値でもかまわない。ただし、上記第2の値は上記第１の値とは異なる値としておく。また、上記第1の値、第2の値は、状態通知レジスタ１４１に設定される第1の設定値、第2の設定値とは異なるものであるが、一致するように構成することもできる。
【０１０４】
上記の１）２）３）のいずれか一つでも条件を満たさなかった場合は、後続の機能実現部１４ｄへは第1の値を設定した初期設定完了信号５６を出力する。
【０１０５】
上記のように所定の順序でｎ個の機能実現部１４ｄ−１〜ｎを初期設定完了信号で接続することにより、最後尾の機能実現部１４ｄ−ｎからは、監視制御ユニット２０ｄに対して、機能ユニット１０ｄ内の運用に使用される全ての機能実現部１４ｄの初期設定処理が完了したときのみ第2の値が設定された初期設定完了信号５６が出力されることになる。
【０１０６】
装置内の監視制御ユニット２０ｄ内には、一次側電源監視部２１、オンボード電源部２２(一次側電源から二次側電源を作成)、二次側電源監視部２３（二次側電源電圧を監視し、リセット制御信号を生成）、監視制御処理部２４ｄを備えている。
【０１０７】
監視制御処理部２４ｄは機能ユニット１０ｄ内の最後尾の機能実現部１４ｄ―ｎからの初期設定完了信号５６のみを判定することにより、機能ユニット１０ｄ内の運用に使われている全ての機能実現部１４ｄ−１〜１４ｄ−ｎの初期設定が完了しているか否か、つまり、機能ユニット１０ｄが運用状態になっているか否かを判定することができる。
【０１０８】
図１５は、本発明の第４の実施形態による機能実現部の動作フローチャート例である。
ここでは、所定の順番の２番目以降の機能実現部１４ｄについての動作フローを示している。（前記図１４では、機能実現部１４ｄ−２に相当）
Ｓ０１．  機能実現部１４ｄは、機能実現部１４ｄに入力されているリセット制御信号５１ｄをチェックし、リセット解除状態か否かを判定する。リセット解除状態でない場合（ＮＯ）、つまり、リセット状態の場合は該機能実現部１４ｄの初期設定はされていない状態なので、ステップＳ０５へ移行する。リセット解除状態の場合は（ＹＥＳ）次のステップＳ０２へ移行する。
【０１０９】
Ｓ０２．  所定の順序で先行する直前の機能実現部１４ｄから入力される初期設定完了信号５６の値が所定の第2の値と一致するか否かをチェックし、初期設定完了信号５６の値が所定の第2の値でないならば（ＮＯ）、先行する機能実現部１４ｄは初期設定が完了していないので、ステップＳ０５へ移行する。一方、初期設定完了信号入力が所定の第2の値ならば（ＹＥＳ）、次のステップＳ０３へ移行する。
【０１１０】
Ｓ０３．  該機能実現部１４ｄの状態通知レジスタ１４１に監視制御ユニット２０ｄからの初期設定完了値が設定されているか否かを判定し、状態通知レジスタ１４１に初期設定完了値が設定されていない場合は（ＮＯ）監視制御ユニット２０ｄからの初期設定処理が完了していないので、ステップＳ０５に移行する。一方、状態通知レジスタ１４１に初期設定完了値が設定されている場合は（ＹＥＳ）、該機能実現部１４ｄに対する監視制御ユニット２０ｄからの初期設定処理が完了しているため、次のステップＳ０４へ移行する。
【０１１１】
Ｓ０４．  該機能実現部１４ｄはリセット解除状態で、先行する機能実現部までが初期設定完了していることを示す第2の値が設定された初期設定完了信号５６を入力しており、かつ、該機能実現部１４ｄに対する監視制御ユニット２０ｄからの初期設定処理が完了していることから、初期設定完了信号５６に初期設定完了を示す第2の値を設定して後続する機能実現部１４ｄに出力し、ステップＳ０１へ戻る。
【０１１２】
これにより、該機能実現部１４ｄに先行する全ての機能実現部１４ｄが運用状態にあることを集約して、後続の機能実現部１４ｄへ通知することができる。
【０１１３】
Ｓ０５．  初期設定完了信号５６に初期設定が完了していない状態であることを示す第1の値を設定して出力し、ステップＳ０１へ戻る。
【０１１４】
上記動作フローは所定の順番の２番目以降の機能実現部１４ｄについての例であるが、所定の順番の先頭に位置する機能実現部１４ｄについては、上記の動作フローの中のステップＳ０２を省略することにより実現できる。
【０１１５】
上記の動作フローにより、所定の順序で初期設定完了信号により接続された複数の機能実現部１４ｄの最後尾の機能実現部１４ｄからは、監視制御ユニット２０ｄに対して、機能ユニット１０ｄに含まれ運用されている全ての機能実現部１４ｄの状態を集約した初期設定完了信号５６が出力される。これにより、監視制御ユニット２０ｄは、一本の初期設定完了信号５６を監視するだけで機能ユニット１０ｄ全体の状態を把握できることになる。
【０１１６】
図１６は、本発明の第4の実施形態における監視制御処理の動作フローチャートで、監視制御ユニット２０ｄの監視制御処理部２４ｄにより実行される。
【０１１７】
Ｓ０１．  監視制御処理部２４ｄは、機能ユニット１０ｄから監視制御ユニット２０ｄに入力される初期設定完了信号５６の値を読み出す。
【０１１８】
Ｓ０２．  上記ステップＳ０１で読み出した初期設定完了信号５６の値が所定の第2の値と一致するか否かをチェックし、第2の値と一致する場合は（ＹＥＳ）、つまり、機能ユニット１０ｄ内の運用に必要な機能実現部１４ｄの全てが運用状態の場合は、ステップＳ０１へ戻って機能ユニット１０ｄの監視を継続して行う。初期設定完了信号５６の値が第2の値でない場合は（ＮＯ）、つまり、機能ユニット１０ｄ内の少なくとも１つの機能実現部１４ｄが運用状態でない場合は、電源異常が発生したと判定し復旧処理を行うために次のステップＳ０３へ移行する。
【０１１９】
Ｓ０３．  機能ユニット１４ｄ内の運用に必要な全ての機能実現部１４ｄに対して、所定の順番で初期設定処理と状態通知レジスタ１４１への初期設定完了値の設定を行い、ステップＳ０１へ戻って機能ユニット１０ｄの監視を継続する。
【０１２０】
上記のように、第4の実施形態によれば、機能ユニット１０ｄが複数の機能実現部１４ｄを含む場合でも、監視制御ユニット２０ｄは機能ユニット１０ｄにおいて発生した電源状態の異常を、１本の初期設定完了信号を監視するのみで効率よく監視し復旧させることが可能となる。
【０１２１】
以上述べた本発明の実施の態様は、以下の付記の通りである。
（付記１）１以上の運用に使用される所定の機能を実現するための機能ユニットを含む装置の電源障害を監視する電源障害監視方法において、
前記機能ユニットは前記機能ユニットの所定の機能を実現するための１以上の運用に使用される機能実現部を備え、
前記機能実現部は電源異常の復旧時は初期状態であるリセット状態に遷移して前記機能実現部に含まれる状態通知レジスタに第１の設定値を設定し、
前記監視制御ユニットは前記機能実現部に含まれる前記状態通知レジスタの値を監視し、前記状態通知レジスタの値が前記第1の設定値のときは前記機能実現部に電源障害が発生したと判定して、前記機能実現部に対して初期設定処理を行った後に前記第1の設定値とは異なる第2の設定値を前記状態通知レジスタに設定して前記機能実現部を運用状態に復旧し、前記状態通知レジスタの値が前記第２の設定値のときは前記機能実現部は運用状態にあると判定する
ことを特徴とする電源障害監視方法。
（付記２）付記１に記載の電源障害監視方法において、
前記機能ユニットは前記機能実現部に対してオン状態とオフ状態からなる信号で構成されるリセット制御信号を供給し、
前記機能実現部はオン状態の前記リセット制御信号を受信した時点で初期状態であるリセット状態に遷移して前記状態通知レジスタに第１の設定値を設定して動作を閉塞し、オン状態からオフ状態へ遷移する前記リセット制御信号を受信した時点でリセット解除状態に遷移して動作を開始し、
前記監視制御ユニットは前記状態通知レジスタに前記第1の設定値が設定されている場合は前記リセット制御信号を監視して前記リセット制御信号がオフ状態に遷移した後に前記機能実現部に対する初期設定処理を行い、前記第1の設定値とは異なる第2の設定値を前記状態通知レジスタに設定して前記機能実現部を運用状態に復旧し、前記状態通知レジスタの値が前記第２の設定値のときは、前記機能実現部は運用状態にあると判定する
ことを特徴とする電源障害監視方法。
（付記３）付記１ないし付記２に記載の電源障害監視方法において、
前記機能ユニットに含まれる少なくとも１つの運用に使用される前記機能実現部が電源障害と判定された場合は、前記機能ユニットは電源障害と判定し、
前記機能ユニットに含まれる運用に使用される全ての前記機能実現部が運用状態の場合は、前記機能ユニットは運用状態と判定する、
ことを特徴とする電源障害監視方法。
（付記４）付記３に記載の電源障害監視方法において、
前記監視制御ユニットは前記機能実現部に対する前記装置に含まれる複数の機能ユニットに対する初期設定処理の順番を記憶する初期設定順序情報を保持し、
前記監視制御ユニットは前記初期設定順序情報に基づいて前記機能ユニットをサーチして前記機能ユニットに含まれる状態通知レジスタの値を判定し、運用状態でない最初の機能ユニットを初期設定対象機能ユニットとし、
前記監視制御ユニットは前記初期設定対象機能ユニットに後続する直後の機能ユニットである後続機能ユニットが運用状態の場合は、前記後続機能ユニットに対してリセット制御信号を送出して前記後続機能ユニットをリセット状態にした後に前記初期設定対象機能ユニットに対する初期設定処理を行い、前記後続機能ユニットが運用状態でない場合は前記初期設定対象機能ユニットに対する初期設定処理を行う、
ことを特徴とする電源障害監視方法。
（付記５）付記１に記載の電源障害監視方法において
前記機能ユニットに含まれる複数の前記機能実現部は前記機能ユニット内の所定の順番で先頭に位置する機能実現部から順次後続の機能実現部へ前記機能実現部の初期設定状態を示す初期設定完了信号を伝達し、
前記監視制御ユニットは前記所定の順番の最後に位置する機能実現部から出力された前記初期設定完了信号の内容に基づいて前記機能ユニットの電源異常の発生を監視する
ことを特徴とする電源障害監視方法。
（付記６）付記５に記載の電源障害監視方法において、
前記機能実現部は初期状態であるリセット状態に遷移した時点で第1の値を前記初期設定完了信号に出力し、
前記所定の順番の先頭に位置する機能実現部は、リセット解除状態で、かつ、前記状態通知レジスタの値が前記第2の設定値である場合は、後続する機能実現部へ前記第1の値と異なる第2の値を前記初期設定完了信号に設定して出力し、
前記所定の順番の２番目以降に位置する機能実現部は、リセット解除状態で、前記状態通知レジスタの値が前記第2の設定値であり、かつ、前記所定の順番で直前に位置する機能実現部から前記第2の値が設定されている初期設定完了信号が入力されている場合は、前記第2の値を設定した前記設定完了信号に設定して出力する、
ことを特徴とする電源障害監視方法。
（付記７）所定の機能を実現する１以上の機能ユニットを含む装置において、
前記機能ユニットの電源障害を監視する監視制御ユニットと、
前記機能ユニットに含まれる所定の機能を実現するための１以上の機能実現部と、
前記機能実現部に含まれる前記機能実現部の状態を記憶する状態通知レジスタを備え、
前記機能実現部は電源異常の発生時は初期状態であるリセット状態に遷移して前記状態通知レジスタに第１の設定値を設定し、
前記監視制御ユニットは前記機能実現部に含まれる前記状態通知レジスタの値を監視し、前記状態通知レジスタの値が前記第1の設定値のときは、前記機能実現部に電源障害が発生したと判定して、前記機能実現部に対して初期設定処理を行った後に前記第1の設定値とは異なる第2の設定値を前記状態通知レジスタに設定して前記機能実現部を運用状態に復旧し、前記状態通知レジスタの値が前記第２の設定値のときは前記機能実現部は運用状態にあると判定する
ことを特徴とする装置。
（付記８）付記７に記載の装置において
前記機能ユニットは前記機能実現部に供給される二次電源の異常を検出する二次電源異常監視部を備え、
前記二次電源異常監視部は前記機能実現部をリセットするためのオン状態とオフ状態からなる信号で構成されるリセット制御信号を前記機能実現部に出力し、
前記機能実現部はオン状態の前記リセット制御信号を受信した時点で前記リセット状態に遷移して動作を閉塞し、オン状態からオフ状態へ遷移する前記リセット制御信号を受信した時点でリセット解除状態に遷移して動作を開始し、
前記状態通知レジスタに第1の設定値が設定されている場合は、前記リセット制御信号を監視して前記リセット制御信号がオフ状態に遷移した後に前記機能実現部に対する初期設定処理を行い、前記第1の設定値とは異なる第2の設定値を前記状態通知レジスタに設定して前記機能実現部を運用状態とする
ことを特徴とする装置。
（付記９）付記７ないし付記８に記載の装置において、
前記監視制御ユニットは前記機能ユニットに含まれる少なくとも１つの運用に使用される前記機能実現部が電源障害と判定された場合は、前記機能ユニットは電源障害と判定し、
前記機能ユニットに含まれる運用に使用される全ての前記機能実現部が運用状態の場合は、前記機能ユニットは運用状態と判定する、
ことを特徴とする装置。
（付記１０）付記９に記載の装置において、
前記監視制御ユニットは前記機能ユニットをリセット状態にするためのリセット制御信号を出力する機能を含んだ監視制御処理部を備え、
前記監視制御処理部は前記機能実現部に対する前記装置に含まれる複数の機能ユニットに対する初期設定処理の順番を記憶する初期設定順序記憶部を備え、
前記監視制御処理部は前記初期設定順序記憶部に設定された順序に従って前記機能ユニットをサーチして前記機能ユニットが運用状態か否かを判定し、運用状態にない最初の機能ユニットを初期設定対象機能ユニットとし、
前記初期設定対象機能ユニットに後続する次の機能ユニットである後続機能ユニットが運用状態の場合は、前記後続機能ユニットに対して前記リセット制御信号を送出して前記後続機能ユニットをリセット状態にした後に前記初期設定対象機能ユニットに対する初期設定処理を行い、前記後続機能ユニットが運用状態でない場合は前記初期設定対象機能ユニットに対する初期設定処理を行う
ことを特徴とする装置。
（付記１１）付記７に記載の装置において
前記機能実現部は前記機能実現部の初期設定状態を判定する初期設定判定部を備え、
前記初期設定判定部は前記機能ユニット内において定められる所定の順番で先頭に位置する機能実現部から順次後続の機能実現部へ前記機能実現部の初期設定状態を示す初期設定完了信号を伝達し、
前記監視制御ユニットは前記所定の順番の最後に位置する機能実現部から出力された前記初期設定完了信号の内容に基づいて前記機能ユニットの電源異常の発生を監視する
ことを特徴とする装置。
（付記１２）付記１１に記載の装置において、
前記初期設定判定部は前記実現機能部が初期状態であるリセット状態に遷移した時点で第1の値を前記初期設定完了信号に出力し、
前記所定の順番の先頭に位置する機能実現部の初期設定判定部は、リセット解除状態で、かつ、前記状態通知レジスタの値が前記第2の設定値である場合は、後続する機能実現部へ前記第1の値と異なる第２の値を前記初期設定完了信号に設定して出力し、
前記所定の順番の２番目以降に位置する機能実現部の初期設定判定部は、リセット解除状態で、前記状態通知レジスタの値が前記第2の設定値であり、かつ、前記所定の順番で直前に位置する機能実現部から前記第２の値が設定されている初期設定完了信号が入力されている場合は、前記第２の値を設定した前記設定完了信号に設定して出力する、
ことを特徴とする装置。
【図面の簡単な説明】
【０１２２】
【図１】装置と機能ユニットとの間の関係を説明する概念図である。
【図２】従来技術による装置の機能ユニットの構成例である。
【図３】本発明の第１の実施形態を示す装置の構成例である。
【図４】本発明のリセット制御信号を説明する模式図である。
【図５】本発明の第１の実施形態における監視制御処理の動作フローチャート例である。
【図６】本発明の第２の実施形態を示す装置の構成例（１）である。
【図７】本発明の第２の実施形態の監視制御処理の動作フローチャート例（１）である。
【図８】本発明の第２の実施形態を示す装置の構成例（２）である。
【図９】本発明の第２の実施形態の監視制御処理の動作フローチャート例（２）である。
【図１０】本発明の第３の実施形態の構成例である。
【図１１】本発明の機能ユニットの状態と初期設定の順序との関係を説明する図である。
【図１２】本発明の第３の実施形態の監視制御処理の動作フローチャート例（１）である。
【図１３】本発明の第３の実施形態の監視制御処理の動作フローチャート例（２）である。
【図１４】本発明の第４の実施形態の構成例である。
【図１５】本発明の第４の実施形態による機能実現部の動作フローチャート例である。
【図１６】本発明の第４の実施形態における監視制御処理の動作フローチャート例である。
【符号の説明】
【０１２３】
１０、１０ａ、１０ｂ、１０ｃ、１０ｄ    機能ユニット
１１    一次側電源監視部
１２    オンボード電源部
１３、１３、１３、１３    二次側電源監視部
１４、１４ｃ、１４ｄ    機能実現部
２０、２０ａ、２０ｂ、２０ｃ、２０ｄ    監視制御ユニット
２１    一次側電源監視部
２２    オンボード電源部
２３、２３    二次側電源監視部
２４    監視制御処理部
３０    一次側電源
３１    二次側電源
３２    二次側電源
４１    リセット制御信号
４２    リセット制御信号
４３    監視制御信号
５１、５１ａ、５１ｂ、５１ｃ、５１ｄ    リセット制御信号
５２    リセット制御信号
５３、５３ｂ、５３ｃ、５３ｄ    監視制御信号
５４    基準信号
５５    リセット制御信号
５６    初期設定完了信号
７１    リセット状態
７２    リセット解除状態
７３    運用状態
１４１    状態通知レジスタ
１４２    初期値設定レジスタ
１４３    初期設定判定部
２４１    初期設定順序記憶部
８００    
８０１−８０８    状態の組み合わせのエントリ
８１０    機能ユニットの状態の組み合わせ
８２０    初期設定の順番
９１０    機能ユニット
９１１    一次側電源監視部
９１２    オンボード電源部
９１３    二次側電源監視部
９１４    機能実現回路
９２０    監視制御ユニット
９２１    一次側電源監視部
９２２    オンボード電源部
９２３    二次側電源監視部
９２４    監視制御処理部
【図４】
2008071201.tif 000003
【図１】
2008071201.tif 000004
【図２】
2008071201.tif 000005
【図３】
2008071201.tif 000006
【図５】
2008071201.tif 000007
【図６】
2008071201.tif 000008
【図７】
2008071201.tif 000009
【図８】
2008071201.tif 000010
【図９】
2008071201.tif 000011
【図１０】
2008071201.tif 000012
【図１１】
2008071201.tif 000013
【図１２】
2008071201.tif 000014
【図１３】
2008071201.tif 000015
【図１４】
2008071201.tif 000016
【図１５】
2008071201.tif 000017
【図１６】
2008071201.tif 000018